(57)【要約】【課題】電磁接触器から端子カバーを取り外すことなく、丸形圧着端子付き電線を端子部に接続できるようにする。【解決手段】電磁接触器の端子部３に装着される端子カバー７には、端子部３に接続される丸形圧着端子付き電線５の締結部分が端子カバー７から露出するように折り曲げ可能な薄肉部７ａを形成する。【選択図】      図１
2008140598.tif 000002
【特許請求の範囲】
【請求項１】
電磁接触器の端子部に装着される電磁接触器の端子カバーにおいて、
前記端子部に接続される丸形圧着端子付き電線の締結部分が前記端子カバーから露出するように折り曲げ可能な薄肉部が形成されていることを特徴とする電磁接触器の端子カバー。
【請求項２】
前記薄肉部が補強されるように前記端子カバーに貼り付けられた可撓性補強材をさらに備えることを特徴とする請求項１記載の電磁接触器の端子カバー。
【請求項３】
前記電磁接触器に装着された状態で前記端子カバーの薄肉部を介して折り曲げられる部分には、前記端子カバーの折り曲げられる部分を前記電磁接触器に固定させる係合爪が設けられていることを特徴とする電磁接触器の端子カバー。
【発明の詳細な説明】
【技術分野】
【０００１】
本発明は電磁接触器の端子カバーに関し、特に、丸形圧着端子付き電線の締結部分における端子カバーの構造に適用して好適なものである。
【背景技術】
【０００２】
電磁石の吸引力により接点を開閉できるもので、負荷の自動開閉用として電磁接触器が使用されている。この電磁接触器の端子部に丸形圧着端子付き電線を接続する場合、丸形圧着端子付き電線の電線部分を１本づつ手で持ちながら、丸形圧着端子の丸穴に端子ねじを挿入する。そして、電磁接触器の端子部のねじ穴に端子ねじを合わせながら、ドライバにてねじ締めが行われる（特許文献１、２）。
【０００３】
図６は、従来の端子カバー装着時の電磁接触器の構成を示す斜視図、図７は、図６の端子カバーを裏面から見た場合の構成を示す斜視図、図８は、従来の電磁接触器の端子部に丸形圧着端子付き電線を締結する方法を示す斜視図、図９は、丸形圧着端子の丸穴に端子ねじを挿入した状態を示す斜視図である。
図６から図９において、電磁接触器１には、丸形圧着端子付き電線５を接続する端子部３が設けられ、端子部３は、多極の接触子が並設され極間が隔壁にて絶縁区画されるとともに、端子部３上には端子カバー２が装着されている。
【０００４】
そして、丸形圧着端子付き電線５を端子部３に接続する場合、電磁接触器１から端子カバー２を取り外す。そして、図９に示すように、丸形圧着端子付き電線５の電線部分を１本づつ手で持ちながら、丸形圧着端子の丸穴に端子ねじ４の胴部を挿入し、図８に示すように、電磁接触器１の端子部３のねじ穴に端子ねじ４を合わせながら、ドライバ６にてねじ締めを行った後、電磁接触器１に端子カバー２を装着する。
【０００５】
また、例えば、特許文献３には、端子ねじをねじ穴に向けて移動したとき、端子ねじのねじ部と固定端子のねじ穴とが容易に一致し、端子ねじの締結が容易になる端子台を得られるようにするために、側壁より案内されて移動する端子ねじ案内体に端子ねじを係合させ、一端が側壁に支持された弾性体の他端に端子ねじまたは端子ねじ案内体を保持する方法が開示されている。
【特許文献１】実開平２−１３８８３４号公報
【特許文献２】実開平３−１０６６３１号公報
【特許文献３】特許第２７２５５１９号公報
【発明の開示】
【発明が解決しようとする課題】
【０００６】
しかしながら、従来の丸形圧着端子付き電線５を端子部３に接続する方法では、電磁接触器１から端子カバー２を取り外す必要があることから、端子カバー２を別の場所に置くか、端子カバー２を持ったままで作業を行う必要があり、端子カバー２の紛失や作業性の劣化を招くという問題があった。
また、特許文献３に開示された方法では、部品点数や組立工数が多くなるために、コストアップを招くとともに、締結時に端子ねじ４の胴部を丸形圧着端子の丸穴に位置合わせする（具体的には、右手でドライバ６の先端を端子ねじ４の頭部に合わせながら、左手で丸形圧着端子付き電線５を持って端子ねじ４の胴部を丸形圧着端子の丸穴に位置合わせする）必要があることから、作業に負担がかかるという問題があった。
そこで、本発明の目的は、電磁接触器から端子カバーを取り外すことなく、丸形圧着端子付き電線を端子部に接続することが可能な電磁接触器の端子カバーを提供することである。
【課題を解決するための手段】
【０００７】
上述した課題を解決するために、請求項１記載の電磁接触器の端子カバーによれば、電磁接触器の端子部に装着される電磁接触器の端子カバーにおいて、前記端子部に接続される丸形圧着端子付き電線の締結部分が前記端子カバーから露出するように折り曲げ可能な薄肉部が形成されていることを特徴とする。
これにより、電磁接触器に装着された端子カバーを折り曲げながら、丸形圧着端子付き電線を端子部に接続することが可能となり、丸形圧着端子付き電線を端子部に接続するために、電磁接触器から端子カバーを取り外す必要がなくなることから、部品点数や組立工数の増大を抑制しつつ、端子カバーが紛失するのを防止することが可能となる。
【０００８】
また、請求項２記載の電磁接触器の端子カバーによれば、前記薄肉部が補強されるように前記端子カバーに貼り付けられた可撓性補強材をさらに備えることを特徴とする。
これにより、薄肉部が疲労して薄肉部にクラックが発生した場合においても、端子カバーが分解されるのを防止することができ、薄肉部を介して端子カバーの折り曲げ作業を頻繁に行った場合においても、端子カバーとしての機能を維持することができる。
【０００９】
また、請求項３記載の電磁接触器の端子カバーによれば、前記電磁接触器に装着された状態で前記して折り曲げられる部分には、前記端子カバーの折り曲げられる部分を前記電磁接触器に固定させる係合爪が設けられていることを特徴とする。
これにより、薄肉部を介して端子カバーが折り曲げられる構造をとった場合においても、端子カバーの折り曲げられる部分を電磁接触器に固定させることが可能となることから、丸形圧着端子付き電線の接続作業が終了した場合においても、部品点数や組立工数の増大を抑制しつつ、端子カバーの折り曲げられる部分が閉じたり開いたりするのを防止することができる。
【発明の効果】
【００１０】
以上説明したように、本発明によれば、電磁接触器に装着された端子カバーを折り曲げながら、丸形圧着端子付き電線を端子部に接続することが可能となり、丸形圧着端子付き電線を端子部に接続するために、電磁接触器から端子カバーを取り外す必要がなくなることから、部品点数や組立工数の増大を抑制しつつ、端子カバーが紛失するのを防止することが可能となる。
【発明を実施するための最良の形態】
【００１１】
以下、本発明の実施形態に係る電磁接触器の端子カバーについて図面を参照しながら説明する。
図１および図３は、本発明の一実施形態に係る電磁接触器の端子部に丸形圧着端子付き電線を締結する方法を示す斜視図、図２は、図１の端子カバーを裏面から見た場合の構成を示す斜視図である。
図１から図３において、電磁接触器１には、丸形圧着端子付き電線５を接続する端子部３が設けられ、端子部３は、多極の接触子が並設され極間が隔壁にて絶縁区画されている。そして、端子部３の側壁には、端子カバー７に設けられた係合爪７ｂを係合させることで、端子カバー７を電磁接触器１に固定する係止溝３ｂが形成されている。
【００１２】
一方、電磁接触器の端子部３に装着される端子カバー７には、端子部３に接続される丸形圧着端子付き電線５の締結部分が端子カバー７から露出するように折り曲げ可能な薄肉部７ａが形成されている。なお、薄肉部７ａは、端子部３に接続される丸形圧着端子付き電線５の締結部分の境界に沿って溝状に形成することができる。
また、端子カバー７の薄肉部７ａを介して折り曲げられる部分７ｃには、端子カバー７の折り曲げられる部分７ｃを電磁接触器１に固定させる係合爪７ｂが設けられている
そして、端子カバー７の折り曲げられる部分７ｃに形成された係合爪７ｂを電磁接触器１の係止溝３ｂに係合させることで、端子カバー７を電磁接触器１に装着することができる。
【００１３】
そして、丸形圧着端子付き電線５を端子部３に接続する場合、図１に示すように、端子カバー７を電磁接触器１に装着させたまま、端子カバー７の一方の薄肉部７ａを介して端子カバー７を折り曲げることにより、一方の側の端子部３の締結部分を露出させる。そして、丸形圧着端子付き電線５の電線部分を１本づつ手で持ちながら、丸形圧着端子の丸穴に端子ねじ４の胴部を挿入し、電磁接触器１の端子部３のねじ穴に端子ねじ４を合わせながら、ドライバ６にてねじ締めを行った後、端子カバー７の折り曲げ状態を元に戻す。
【００１４】
さらに、図３に示すように、端子カバー７を電磁接触器１に装着させたまま、端子カバー７の他方の薄肉部７ａを介して端子カバー７を折り曲げることにより、他方の側の端子部３の締結部分を露出させる。そして、丸形圧着端子付き電線５の電線部分を１本づつ手で持ちながら、丸形圧着端子の丸穴に端子ねじ４の胴部を挿入し、電磁接触器１の端子部３のねじ穴に端子ねじ４を合わせながら、ドライバ６にてねじ締めを行った後、端子カバー７の折り曲げ状態を元に戻すことにより、電磁接触器１に端子カバー２を装着する。
【００１５】
これにより、電磁接触器１に装着された端子カバー７を折り曲げながら、丸形圧着端子付き電線５を端子部３に接続することが可能となり、丸形圧着端子付き電線５を端子部３に接続するために、電磁接触器１から端子カバー７を取り外す必要がなくなることから、部品点数や組立工数の増大を抑制しつつ、端子カバー７が紛失するのを防止することが可能となる。
【００１６】
また、電磁接触器１に端子カバー７を固定させる係合爪７ｂを端子カバー７の折り曲げられる部分７ｃに設けることで、端子カバー７が折り曲げられる構造をとった場合においても、端子カバー７の折り曲げられる部分７ｃを電磁接触器１に固定させることが可能となることから、丸形圧着端子付き電線５の接続作業が終了した場合においても、部品点数や組立工数の増大を抑制しつつ、端子カバー７の折り曲げられる部分７ｃがパタパタと閉じたり開いたりするのを防止することができる。
【００１７】
図４は、本発明の一実施形態に係る端子カバーのその他の構成を示す斜視図、図５は、図４の端子カバーの折り曲げた状態を示す斜視図である。なお、以下の説明では、図１から図３と同一部分には同一符号を付し、詳細な説明は省略する。
図４および図５において、端子カバー７の表面には、電磁接触器１の形式などを表示する銘板８が端子カバー７の薄肉部７ａにかかるように貼り付けられている。ここで、銘板８は、片面が粘着性を有する粘着紙などの可撓性部材を用いることができる。
これにより、薄肉部７ａが疲労して薄肉部７ａにクラックが発生した場合においても、端子カバー７が分解されるのを防止することができ、薄肉部７ａを介して端子カバー７の折り曲げ作業を頻繁に行った場合においても、端子カバー７としての機能を維持することができる。
【図面の簡単な説明】
【００１８】
【図１】本発明の一実施形態に係る電磁接触器の端子部に丸形圧着端子付き電線を締結する方法を示す斜視図である。
【図２】図１の端子カバーを裏面から見た場合の構成を示す斜視図である。
【図３】本発明の第１実施形態に係る電磁接触器の端子部に丸形圧着端子付き電線を締結する方法を示す斜視図である。
【図４】本発明の一実施形態に係る端子カバーのその他の構成を示す斜視図である。
【図５】図４の端子カバーの折り曲げた状態を示す斜視図である。
【図６】従来の端子カバー装着時の電磁接触器の構成を示す斜視図である。
【図７】図６の端子カバーを裏面から見た場合の構成を示す斜視図である。
【図８】従来の電磁接触器の端子部に丸形圧着端子付き電線を締結する方法を示す斜視図である。
【図９】丸形圧着端子の丸穴に端子ねじを挿入した状態を示す斜視図である。
【符号の説明】
【００１９】
１  電磁接触器
３  端子部
３ｂ  係止溝
４  端子ねじ
５  丸形圧着端子付き電線
６  ドライバ
７  端子カバー
７ａ  薄肉部
７ｂ  係合爪
８  銘板
【図１】
2008140598.tif 000003
【図２】
2008140598.tif 000004
【図３】
2008140598.tif 000005
【図４】
2008140598.tif 000006
【図５】
2008140598.tif 000007
【図６】
2008140598.tif 000008
【図７】
2008140598.tif 000009
【図８】
2008140598.tif 000010
【図９】
2008140598.tif 000011